(57)【要約】    【課題】  懸賞システムに付加価値を与えること。    【解決手段】  本発明では、懸賞サイトに電子通信回線網を介して接続した携帯端末装置を用いて懸賞に応募する懸賞システムにおいて、懸賞サイトが懸賞内容とアドレスとを表示手段に表示する懸賞表示ステップと、応募者が携帯端末装置を用いて懸賞サイトに接続して懸賞に応募する応募ステップと、懸賞サイトが当選者の携帯端末装置に暗号化した当選情報を送信する当選情報送信ステップと、当選者が表示手段とは異なる場所に設置された暗号解読装置で当選情報を解読させることによって当選が確定する当選確定ステップとを有することにした。【選択図】      図１
2005202613.tif 000002
【特許請求の範囲】
【請求項１】
懸賞サイトに電子通信回線網を介して接続した携帯端末装置を用いて懸賞に応募する懸賞システムにおいて、
懸賞サイトが懸賞内容とアドレスとを表示手段に表示する懸賞表示ステップと、
応募者が携帯端末装置を用いて懸賞サイトに接続して懸賞に応募する応募ステップと、
懸賞サイトが当選者の携帯端末装置に暗号化した当選情報を送信する当選情報送信ステップと、
当選者が表示手段とは異なる場所に設置された暗号解読装置で当選情報を解読させることによって当選が確定する当選確定ステップと、
を有することを特徴とする懸賞システム。
【発明の詳細な説明】
【技術分野】
【０００１】
本発明は、懸賞サイトに電子通信回線網を介して接続した携帯端末装置を用いて懸賞に応募する懸賞システムに関するものである。
【背景技術】
【０００２】
近年、インターネットに代表される電子通信回線網や携帯電話機に代表される携帯端末装置の普及に伴って、電子通信回線網を介して接続した携帯端末装置を用いて懸賞サイトにアクセスし、その懸賞サイトで行われている懸賞に応募するといった懸賞システムが広く知られている（たとえば、特許文献１参照。）。
【０００３】
従来の懸賞システムでは、懸賞サイトが応募資格や当選商品などの懸賞内容と懸賞サイトのアドレス（ＵＲＬ：Uniform Resource Locator）を新聞や雑誌などの情報媒体に掲載し、これを見た応募者が自己の携帯端末装置を用いて懸賞サイトのホームページにアクセスし、そのホームページ上で携帯端末装置を用いて住所や氏名や応募商品などの応募に必要な事項を応募データとして記載し、その応募データを懸賞サイトに送信することで懸賞に応募し、その後、懸賞サイトで受信した応募データの中から当選者を決定し、その当選者の携帯端末装置に当選した旨を表示する当選データを送信し、この当選データの送信によって直ちに当選が確定するようにしていた。
【特許文献１】特開２００１−２４３３３３号公報
【発明の開示】
【発明が解決しようとする課題】
【０００４】
ところが、上記従来の懸賞システムにあっては、当選データが当選者の携帯端末装置に送信された段階で直ちに当選が確定するものであったために、当選者がその当選によって懸賞を受けるか否かは当選者の意思に任されており、全ての当選者がその懸賞を受けるとは限られていなかった。
【０００５】
そのため、懸賞を実施しても、懸賞を受けない当選者が存在することで、懸賞による効果が低減してしまうおそれがあった。
【０００６】
たとえば、ある店が当選者に所定期間中だけ所定の割引率で商品を購入できるといった懸賞を実施しても、当選者が実際にその店に来て商品を購入しないこともあり、懸賞によって集客数の増大を狙っても、その効果が得られないおそれがあった。
【０００７】
これは、従来の懸賞システムでは、当選データが当選者の携帯端末装置に送信された段階で直ちに当選が確定し、その後に懸賞を受けることになるため、当選の確定と懸賞の受賞との間に時間差が生じており、その時間差によって当選者が懸賞を受ける意欲が低減してしまうことによるものと考えられる。
【０００８】
そこで、本発明者は、電子通信手段を用いた懸賞システムにおいて、当選の確定と懸賞の受賞との間の時間差を無くすことによって、より多くの当選者が懸賞を受け、これによって懸賞効果を増大させる新たな懸賞システムを発明する至ったのである。
【課題を解決するための手段】
【０００９】
すなわち、本発明では、懸賞サイトに電子通信回線網を介して接続した携帯端末装置を用いて懸賞に応募する懸賞システムにおいて、懸賞サイトが懸賞内容とアドレスとを表示手段に表示する懸賞表示ステップと、応募者が携帯端末装置を用いて懸賞サイトに接続して懸賞に応募する応募ステップと、懸賞サイトが当選者の携帯端末装置に暗号化した当選情報を送信する当選情報送信ステップと、当選者が表示手段とは異なる場所に設置された暗号解読装置で当選情報を解読させることによって当選が確定する当選確定ステップとを有することにした。
【発明の効果】
【００１０】
本発明では、当選者が表示手段とは異なる場所に設置された暗号解読装置で当選情報を解読させることによって当選が確定するようにしているため、当選情報を受信するだけでは当選が確定しておらず、当選を確定するためには当選者が携帯端末装置を持って暗号解読装置が設置されている場所まで実際に移動しなければならない。
【００１１】
そして、当選者が携帯端末装置を持って暗号解読装置が設置されている場所まで実際に移動することによって初めて当選が確定する。
【００１２】
そのため、当選の確定と懸賞の受賞とがほぼ同時に行われることになり、より多くの当選者が懸賞を受けることになるため、これによって懸賞効果を増大させることができる。
【００１３】
しかも、懸賞システムでありながら、当選者に表示手段の設置場所から暗号解読装置の設置場所までの移動を強制することになり、当選者（顧客）の移動といった付加価値を懸賞システムに持たせることができる。
【発明を実施するための最良の形態】
【００１４】
本発明に係る懸賞システムは、懸賞サイトに電子通信回線網を介して接続した携帯端末装置を用いて懸賞に応募するようにしたものである。
【００１５】
そして、本発明では、懸賞サイトが懸賞内容とアドレスとを表示手段に表示し、応募者が携帯端末装置を用いて懸賞サイトに接続して懸賞に応募し、懸賞サイトが当選者の携帯端末装置に暗号化した当選情報を送信し、当選者が表示手段とは異なる場所に設置された暗号解読装置で当選情報を解読させることによって当選が確定するようにしたものである。
【００１６】
すなわち、本発明に係る懸賞システムは、懸賞サイトが懸賞内容とアドレスとを表示手段に表示する懸賞表示ステップと、応募者が携帯端末装置を用いて懸賞サイトに接続して懸賞に応募する応募ステップと、懸賞サイトが当選者の携帯端末装置に暗号化した当選情報を送信する当選情報送信ステップと、当選者が表示手段とは異なる場所に設置された暗号解読装置で当選情報を解読させることによって当選が確定する当選確定ステップとから構成している。
【００１７】
このように、本発明に係る懸賞システムでは、当選者が当選情報を受信するだけでは当選が確定しておらず、当選を確定するためには当選者が携帯端末装置を持って暗号解読装置が設置されている場所まで実際に移動しなければならない。
【００１８】
言い換えれば、当選者が携帯端末装置を持って暗号解読装置が設置されている場所まで実際に移動することによって初めて当選が確定する。
【００１９】
そのため、本発明では、当選の確定と懸賞の受賞とがほぼ同時に行われることになり、より多くの当選者が懸賞を受けることになるため、これによって懸賞効果を増大させることができるのである。
【００２０】
しかも、本発明では、電子通信手段を用いた懸賞システムでありながら、当選者に表示手段の設置場所から暗号解読装置の設置場所までの移動を強制することになり、当選者（顧客）の移動といった付加価値を懸賞システムに持たせることができるのである。
【００２１】
以下に本発明に係る懸賞システムの具体例について図面を参照しながら説明する。
【００２２】
本発明に係る懸賞システム１では、図１に示すように、懸賞サイトのコンピュータ２と応募者の携帯電話機やPDA（Personal Digital Assistants）などの携帯端末装置３と液晶ディスプレーやモニターなどの表示手段４と暗号解読装置５とが電子通信回線網６に接続されている。ここで、表示手段４と暗号解読装置５とは異なる場所に設置されており、たとえば、表示手段４は、多くの人が集まる駅前や公共施設などに設置されており、一方、暗号解読装置５は、懸賞を付与する商店や施設の内部に設置されている。
【００２３】
そして、本懸賞システム１では、以下に説明するようにして懸賞を実施している（図２参照。)。
【００２４】
まず、懸賞サイトが応募条件や応募商品などの懸賞内容と懸賞サイト（ホームページ）のアドレスとを含んだ表示データを懸賞サイトのコンピュータ２から電子通信回線網６を介して表示手段４に送信し、図３に例示するように表示手段４で懸賞内容とアドレスとを表示する（懸賞表示ステップ)。
【００２５】
次に、表示手段４に表示された懸賞内容とアドレスとを見た応募者が自己の携帯端末装置３を用いて懸賞サイトのコンピュータ２に電子通信回線網６を介してアクセス（接続）し、懸賞サイトのコンピュータ２から募集データを受信し、その募集データを見ながら懸賞サイト上で携帯端末装置３を用いて住所や氏名や応募商品などの応募に必要な事項を応募データとして記載し、図４(a)〜(d)に例示するように応募データを懸賞サイトのコンピュータ２に電子通信回線網６を介して送信することで懸賞に応募する（応募ステップ）。
【００２６】
次に、懸賞サイトが応募者から当選者を決定し、その当選者の携帯端末装置３に懸賞サイトのコンピュータ２から電子通信回線網６を介して図５に例示するような暗号化した当選情報を送信する（当選情報送信ステップ）。
【００２７】
ここで、暗号化した当選情報は、当選者が直ちにその内容を理解することができない情報であればよく、図５に例示するようなバーコード情報でもよく、また、数字や文字の配列情報でもよい。また、当選情報は、当選者から他人の携帯端末装置３に転送された場合には、その転送の履歴が残り、転送前の当選情報と転送後の当選情報とが異なるようにして、当選情報が転送された場合には後に暗号解読装置５で解読した際に当選が確定しないようにしてもよい。
【００２８】
最後に、当選者が表示手段４とは異なる場所に設置された暗号解読装置５の設置場所まで移動し、暗号解読装置５に自己の携帯端末装置３に送信された当選情報を提示し、その暗号解読装置５で当選情報を解読させ、これによって当選が確定する（当選確定ステップ）。確定した当選者はその後直ちに懸賞を受けることができる。
【００２９】
ここで、暗号解読装置５で当選情報を解読させる際には、専用コードなどを利用した有線又は赤外線通信などを利用した無線で携帯端末装置３と暗号解読装置５とを接続することによって当選情報を提供するようにしてもよく、また、バーコードリーダーや画像読み取り装置などを利用して当選情報を読み取るようにしてもよい。
【図面の簡単な説明】
【００３０】
【図１】本発明に係る懸賞システムのハードウェア構成を示す説明図。
【図２】本発明に係る懸賞システムを示す説明図。
【図３】表示データの一例を示す説明図。
【図４】募集データの一例を示す説明図。
【図５】当選情報の一例を示す説明図。
【符号の説明】
【００３１】
１  懸賞システム
２  コンピュータ
３  携帯端末装置
４  表示手段
５  暗号解読装置
６  電子通信回線網
【図１】
2005202613.tif 000003
【図２】
2005202613.tif 000004
【図３】
2005202613.tif 000005
【図４】
2005202613.tif 000006
【図５】
2005202613.tif 000007